(57)【要約】【課題】鉄心にワニスが付着している場合であっても、効率的にトランスコア鉄心の無害化処理が可能である処理方法及び開裁装置を提供すること。【解決手段】トランスコアから取り出した鉄心を切断し、好ましくは5mm以上20mm以下の厚みの積層板とする。この積層板を少なくとも一対のロール間に通すことによって折り曲げ加工し、積層板を構成する鋼板を開裁する。開裁後の積層板は、洗浄剤によって洗浄する。ここで、ロールは、外周部表面に複数個の円柱状突起部を備えており、円柱状突起部は、中心軸がロールの回転軸と同じ方向となるように、回転方向に直交する向きに並列している。【選択図】図４
2010131482.tif 000002
【特許請求の範囲】
【請求項１】
トランスコアから取り出した鉄心を切断して積層板とする切断工程と、
前記積層板を少なくとも一対のロール間に通すことによって圧縮及び開裁する開裁工程と、
開裁された積層板を洗浄剤によって洗浄する洗浄工程と、
を有するトランスコア用鉄心処理方法であって、
前記ロールは、外周部表面に複数個の突起部を備え、
前記突起部は、その中心軸がロールの回転軸と同じ方向となるよう等間隔に並列している、ことを特徴とするトランスコア用鉄心処理方法。
【請求項２】
前記突起部が、前記ロールの中心軸と逆方向の表面に小突起部を有する、請求項１に記載のトランスコア用鉄心処理方法。
【請求項３】
切断工程後であって開裁工程の前に鉄心を5ｍｍ以上20ｍｍ以下の厚みの積層板とする調整工程を有する請求項１又は２に記載のトランスコア用鉄心処理方法
【請求項４】
少なくとも一対のロールを有する開裁装置であって、
前記ロールは、外周部表面に複数個の突起部を備え、
前記突起部は、その中心軸がロールの回転軸と同じ方向となるよう等間隔に並列しており、
トランスコアから取り出した鉄心を切断した後の積層板を、一対の前記ロール間に挟み込んで前記ロールを回転させることによって、前記積層板を圧縮及び開裁することを特徴とする、トランスコア用鉄心開裁装置。
【請求項５】
前記突起部が、前記ロールの中心軸と逆方向の表面に小突起部を有する、請求項４に記載のトランスコア用鉄心開裁装置。
【発明の詳細な説明】
【技術分野】
【０００１】
本発明は、トランスコアの鉄心処理方法及び鉄心開裁装置に関するものであり、より詳しくは、ポリ塩化ビフェニル（ＰＣＢ）等によって汚染されている廃トランスの鉄心、特に低濃度のＰＣＢに汚染された廃トランスの鉄心を、無害化処理しやすいように開裁するための開裁工程を含む処理方法、及び廃トランスの鉄心開裁装置に関するものである。
【背景技術】
【０００２】
電気機器であるトランスケース内部には、過去においては絶縁特性に優れ、化学的安定性も高いことからＰＣＢ、トリクロロベンゼン等の難分解性有機塩素系化合物が注入されていた。しかし、その後、これら難分解性有機塩素系化合物の有害性が認識されることとなり、現在では絶縁油としてＰＣＢ等の難分解性有機塩素系化合物を使用することは禁止されている。そして、ＰＣＢ等を注入していた廃トランスの無害化処理が進められている。
【０００３】
トランスケース内のトランスコアの一例を、図１に示す。トランスコア１は、鉄心２と銅線コイル３に大別される。鉄心２は、厚み0.3mm程度の鋼板４が複数枚（通常、数十枚〜800枚程度）積層されたものであり、銅線コイル３は、外表面に紙が巻かれ、絶縁ワニスが塗られていることが一般的である。
【０００４】
このようなトランスコアは、廃トランスケースから取り出され、ケースからＰＣＢが抜き取られる。トランスコアにもＰＣＢ等が多量に付着しており、有機溶剤を用いてＰＣＢ等を溶出及び回収する必要がある。しかし、鉄心を構成している鋼板の隙間に侵入したＰＣＢ等を溶出することは、有機溶媒に長時間浸漬しても困難であり、廃トランスの無害化処理において、最も問題となっている。
【０００５】
例えば、特許文献１には、鉄製の帯板が積層された鉄心に対して銅線コイルが巻かれて構成されたトランスコアの解体装置であって、前記トランスコアを載置する基盤と、該基盤上で前記トランスコアを拘束する拘束手段と、前記帯板を切断可能な切断刃と、該切断を前記帯板の幅方向に沿って移動自在に支持する切断刃移動手段と、前記切断刃を前記帯板の積層方向に送り移動する切断刃送り手段とを具えたことを特徴とする解体装置が開示されている。
【０００６】
特許文献１に開示される処理方法及び解体装置は、処理に時間がかかるため、多数の鉄心を連続して処理するのは作業効率が低いという問題があった。この問題を解決する鉄心処理方法として、本発明者らは、鉄心の積層板を結束し、積層板に対して積層方向に力を加えて折り曲げ加工することにより、積層板に隙間を生じさせる洗浄方法を開発している（特許文献２参照）。
【特許文献１】特開２００３−２６６３７２号公報
【特許文献２】特開２００５−２２４７９０号公報
【発明の開示】
【発明が解決しようとする課題】
【０００７】
特許文献２に開示されている鉄心処理方法は、鉄心の鋼板を順に切断する従来の処理法よりも作業効率に優れている。しかし、銅線コイルに絶縁ワニスが塗られており、鉄心の表面にも絶縁ワニスが付着している場合には、積層板を折り曲げ加工しても鋼板同士が絶縁ワニスによって固着しているため、特許文献２の鉄心処理方法によっても積層板に十分なすきまを生じさせることが困難であった。
【０００８】
本発明は、鉄心に絶縁ワニスが付着している場合であっても、効率的にトランスコア鉄心の無害化処理が可能である処理方法及び処理装置の提供を目的とする。
【課題を解決するための手段】
【０００９】
本発明者らは、特許文献２に開示されている方法について、さらに改良の余地がないか検討を続けたところ、外周部表面に複数個の突起部を備えたロール対の間に、積層板を挟み込んでロールを回転させることにより、突起部によって積層板が折り曲げ加工され、多数の折り曲げ部が連続して形成される結果、より効率よく積層板に隙間を生じさせることが可能となることを見出し、本発明を完成させるに至った。
【００１０】
具体的に、本発明は、
トランスコアから取り出した鉄心を切断する切断工程と、
前記積層板を少なくとも一対のロール間に通すことによって圧縮及び開裁する開裁工程と、
開裁された積層板を洗浄剤によって洗浄する洗浄工程と、
を有するトランスコア用鉄心処理方法であって、
前記ロールは、外周部表面に複数個の突起部を備え、
前記突起部は、中心軸がロールの回転軸と同じ方向となるように並列している、ことを特徴とするトランスコア用鉄心処理方法に関する。
【００１１】
また、本発明は、
少なくとも一対のロールを有する開裁装置であって、
前記ロールは、外周部表面に複数個の突起部を備え、
前記突起部は、中心軸がロールの回転軸と同じ方向となるように並列しており、
トランスコアから取り出した鉄心を切断した後の積層板を、一対の前記ロール間に挟み込んで前記ロールを回転させることによって、前記積層板を圧縮及び開裁することを特徴とする、トランスコア用鉄心開裁装置に関する。
【００１２】
外周部表面に複数個の突起部を備えるローラ間に積層板を挟み込むことで、積層板に複数の折り曲げ部が形成され、積層板の側面に絶縁ワニスが付着している場合であっても、積層板に十分な隙間を生じさせることが可能となる。その結果、有機溶剤等の洗浄液が隙間に侵入しやすくなり、積層板を構成する鋼板の隙間に存在するＰＣＢ等を効率よく洗浄することが可能となる。また、積層板の折り曲げに特定形状のロール一対を使用するため、作業効率も高い。
【００１３】
突起部の形状は特に限定されず、円柱状、円錐、三角錐、四角錐等の形状とすることができる。後述する小突起部の形状についても同様である。
【００１４】
なお、積層板により大きな隙間を生じさせるためには、上述したロール一対を用いて開裁（開裁加工）した後、複数回、開裁処理を行うことが効果的である。この場合、同じロール一対を用いて２回以上開裁してもよく、大きさや間隔の異なる複数のロール対を順次用いて２回以上開裁してもよい。作業効率の点では、複数のロール対を用いる方が好ましい。
【００１５】
前記突起部は、前記ロールの中心軸と逆方向の表面に小突起部を有することが好ましい。
【００１６】
突起部が表面に小突起部を有することにより、積層板をより鋭角に折り曲げることが可能となり、積層板に生じる隙間がより大きくなる。このため、絶縁ワニスの付着のために特許文献２の処理方法によっても処理が困難であった積層板であっても、効率よく十分な隙間を生じさせることが可能である。
【００１７】
突起部と小突起部とは、同じ形状としてもよく、異なる形状としてもよい。なお、突起部が小突起部を有する場合でも、複数回、開裁加工を行うことが効果的である。
【００１８】
前記積層板は開裁加工する前に5ｍｍ以上20ｍｍ以下の厚みとなるように調整することが好ましく、作業効率や開裁のし易さから10mm以上15mm以下の厚みとすることがさらに好ましい。積層板の厚みを調整することによって、開裁加工により積層板の開裁を効果的に行うことができる。また、開裁加工をより小さな力で行うことができる。
【発明の効果】
【００１９】
本発明の鉄心処理方法及び鉄心開裁装置によれば、従来よりも廃トランスコアの鉄心処理効率が向上する。
【発明を実施するための最良の形態】
【００２０】
本発明の実施の形態について、適宜図面を参酌しながら説明する。なお、本発明は、以下の記載に限定されない。
【００２１】
＜実施の形態１＞
（切断工程及び調整工程）
廃トランスから取り出されたトランスコアは、高圧トランスの場合には、一般的には図１に示したような構造をしている。トランスコア１は、油抜きされ、有機溶剤等の洗浄剤によって粗洗浄されたトランスケース（図示せず）から取り出される。
【００２２】
上述したように、トランスコア１は、内鉄形鉄心と呼ばれる形態の鉄心２と、銅線コイル３とから構成されている。なお、ＰＣＢの汚染度によっては粗洗浄を行うことなく油抜きされたトランスケースからトランスコアを取り出すようにしてもよい。
【００２３】
トランスコア１の鉄心２を無害化処理する場合、まず、図２(a)のＡ−Ａ線及びＢ−Ｂ線の２ヵ所において鉄心２を切断する。鉄心２の切断には、バンドソー、カットソー等を用いることができる。切断後、銅線コイル３を抜き取ると、図２(b)に示したように、鉄心２は、２枚の端部積層板４ａ〜４ｂと、３枚のコイル部積層板５ａ〜５ｃとに分解される。
【００２４】
このとき、端部積層板４ａ〜４ｂと、３枚のコイル部積層板５ａ〜５ｃとは、それぞれ厚みが50mm〜200mm程度であるため、そのままロール対によって圧縮しても、折り曲げ加工することは困難である。そこで、  タガネ等を利用して、各積層板を5mm以上20mm以下の厚みに調整する（図２(c)参照）。
【００２５】
なお、低圧トランスの場合には、トランスコア１１は図３(a)に示す構造であるが、この場合には、Ｃ−Ｃ線で鉄心１２を切断し、コイルを抜き取ると、図３(b)に示すように積層板１４ａ及び１４ｂとなる。積層板１４ｂは、さらにＤ−Ｄ線で切断し、２個の積層板１４ｃとする。積層板１４ａ及び積層板１４ｃを、5mm以上20mm以下の厚みに調整すると、図３(d)に示すような積層板１５ａ及び１５ｂとなる。
【００２６】
なお、鉄心を切断した後のコイルの抜き出し方については特に限定されず、コイルをクランプ等で固定して、切断された鉄心を切断断面からコイルを貫通する方向へ押し出すことにより抜き出す方法や、コイルを固定して、鉄心を別のクランプで挟み、強制的に引き抜いてもよい。また、鉄心を固定し、コイルをスライドさせることによって抜き出してもよい。
【００２７】
また、鉄心の切断箇所も図２のようにコイルの両端で切断してもよく、図３のようにコイルの一端側のみを切断してもよい。さらには、図３(a)のＣ−Ｃ断面を中央側（図３(a)でいう下方向）でコイルごと切断する構成としてもよい。
【００２８】
図３(b)のＣ−Ｃ断面で切断した状態の積層板を、厚み調整して開裁工程にて圧縮及び開裁処理した場合、積層板の大きさによってはトランスコア用鉄心開裁装置にてロールに積層板の一端側を挟み込む際に、積層板の他端側が邪魔になるおそれがあることから、図３(b)及び図３(c)に示すように、さらにＤ−Ｄ断面で切断することが好ましい。
【００２９】
（開裁工程）
次に、5mm以上20mm以下の厚みに調整した積層板を、図４(a)及び図４(b)に示すトランスコア用鉄心開裁装置２１を用いて圧縮及び開裁加工する。
【００３０】
このトランスコア用鉄心開裁装置２１は、一対のロール（２２ａ及び２２ｂ）を備えている。ロール２２ａ及び２２ｂは、外周部表面２３ａ及び２３ｂに、複数個の円柱状突起部２４を有している。円柱状突起部２４は、その中心軸２５がロール（２２ａ及び２２ｂ）の回転軸（２６ａ及び２６ｂ）と同じ方向となるような向きに、等間隔で並列している。
【００３１】
ロール２２ａとロール２２ｂの円柱状突起部２４は、ロール対の対向部で咬み合うように配置されている。また、ロール２２ａとロール２２ｂの円柱状突起部２４は、ロール対の対向部において、相互の距離が5mm以上20mm以下の厚みに調整した積層板よりも、さらに2mm以上10mm以下の隙間が空くように配置されている。ここでいう隙間とは、円柱状突起部２４とロール外周面２３ａ又は２３ｂとの最短距離を意味する。
【００３２】
なお、図４のトランスコア用鉄心開裁装置２１では、ロール２２ａは時計回り、ロール２２ｂは反時計回りに回転する。円柱状突起部２４の直径は、ロール２２ａ又はロール２２ｂの直径の1/3〜1/10程度とすることが好ましい。
【００３３】
5mm以上20mm以下の厚みに調整した積層板６（７又は１５）は、図５(a)に示すように、トランスコア用鉄心開裁装置２１の上部から挿入し、ロール２２ａ及びロール２２ｂの間に挟み込む。そして、ロール２２ａ及びロール２２ｂを回転させる。
【００３４】
ロール２２ａ及びロール２２ｂの回転に伴い、積層板６はロール２２ａ及びロール２２ｂの円柱状突起部２４によって折り曲げ加工され、トランスコア用鉄心開裁装置２１の下部へと移動する（図５(b)参照）。このとき、積層板６の表面と裏面では鋼板の伸びが異なり、折り曲げ加工を繰り返すことによって鋼板同士の間に隙間が生じる。そして、積層板６の下端部２７は、鋼板の隙間が開き、開裁された状態となってトランスコア用鉄心開裁装置２１から取り出される。
【００３５】
ロール２２ａ及びロール２２ｂの円柱状突起部２４のピッチ及び直径は、積層板６の長さによって変えることが好ましい。例えば、積層板６が長ければ、円柱状突起部２４のピッチが大きく、高さが低い（直径が小さい）場合でも十分に折り曲げ加工され、開裁処理することができる。積層板６が短ければ、円柱状突起部２４のピッチを小さくし、高さを高くする（直径を大きくする）必要が生じる。
【００３６】
ここでは、突起部が円柱状である場合について説明したが、上述したように、突起部は円柱状に限定されず、円錐、三角錐、四角錐等の形状としてもよい。
【００３７】
なお、ロール２２ａ及びロール２２ｂは、処理すべき積層板が少ない場合には、ラチェット等を用いて手動で回転させてもよいが、連続処理する場合にはモーター（図示せず）を用いて回転させることが好ましい。
【００３８】
（洗浄工程）
次に、折り曲げ加工された積層板は、ｎ−ヘキサン、アセトン、アルコール等の有機溶媒、又は炭化水素系洗浄剤、有機ハロゲン系洗浄剤又はノルマルパラフィン等の洗浄剤又は絶縁油に浸漬し、表面に付着しているＰＣＢ等を除去する。このとき、本発明によれば、積層板にワニスが付着し、積層板を構成する鋼板同士が固着している場合であっても、十分な隙間を開けることが可能であるため、積層板の中心部付近であっても、ＰＣＢ等の除去効果が高い。
【００３９】
＜実施の形態２＞
本発明のトランスコア用鉄心開裁装置の別の一例について、その一部を図６に示す。このトランスコア用鉄心開裁装置３１は、ロール２２ａ及びロール２２ｂそれぞれの円柱状突起部２４が、ロールの中心軸２６ａ及び中心軸２６ｂと逆方向の表面部分に、円柱状突起部２４と略同形状の円柱状小突起部３２を有している以外、実施の形態１のトランスコア用鉄心開裁装置２１と同様である。
【００４０】
円柱状小突起部３２が存在することにより、5mm以上20mm以下の厚みに調整した積層板を、より鋭角的に折り曲げ、開裁加工することが可能となり、開裁工程後の積層板により大きな隙間をあけることができる。ここで、ロール２２ａ及びロール２２ｂを接近させ、円柱状突起部２４とロール外周面２３ａ又は２３ｂとの距離を短くした場合にも、積層板を鋭角的に折り曲げることは可能であるが、それではロール２２ａ及びロール２２ｂを回転させるための動力が過大となってしまう。
【００４１】
しかし、トランスコア用鉄心開裁装置３１は、円柱状突起部２４上に円柱状小突起部３２をさらに設けていることにより、ロール２２ａ及びロール２２ｂを回転させるための動力を増大させずに、積層板を鋭角的に折り曲げ加工することができる。なお、円柱状小突起部３２の直径は、円柱状突起部２４の直径の1/2〜1/5とすることが好ましい。
【００４２】
なお、図６では、円柱状小突起部３２が円柱状突起部２４と略同形状であるが、小突起部は円柱の形状に限定されず、円錐、三角錐、四角錐等の形状とすることもできる。また、すべての突起部に形成される必要はなく、小突起部が存在する突起部と、小突起部が存在しない突起部とを交互に設置してもよい。
【００４３】
さらに、小突起部を円柱とすると共に、円柱のそれぞれの端面の直径を変えた形状（円錐体を途中で切断した形状）としても良い。この場合、対向する小突起部を円錐形状が逆向きとなる方向に配置することにより、ロールを通過させる積層板を折り曲げ加工すると共にねじれを付与して、開裁をより効果的に行うことができる。
【００４４】
なお、折り曲げ加工後の積層板がバラバラになる場合、積層板がバラけないように積層板の中央部を結束してもよい。
【００４５】
［実施例１］
絶縁油に浸漬させた鉄心（厚さ0.3mmの鋼板が180枚積層したもの）を、図３に示したように切断した。切断後の鉄心片をタガネによって12mmの厚みの積層板となるように調整した。このとき、積層板の側面は、絶縁ワニスが付着していた。
【００４６】
トランスコア用鉄心開裁装置として、図６に示した円柱状突起部及び円柱状小突起部をロール外周面に有する装置を使用した。ロール、円柱状突起部及び円柱状小突起部はすべて鉄製であり、その直径は、それぞれ21.6cm、3cm及び0.8cmであった。また、ロールには、11個ずつ円柱状突起部及び円柱状小突起部が設けられており、ロール対は、ラチェットを用いて手動で回転させた。
【００４７】
折り曲げ加工後の積層板は、もう一度トランスコア用鉄心開裁装置によって折り曲げ加工した。この２回折り曲げ加工した積層板を、実施例の積層板とした。
【００４８】
トランスコア用鉄心開裁装置による折り曲げ加工前後の積層板の状態を、図７(a)及び図７(b)にそれぞれ示す。図７(b)に示すように、実施例の積層板は、鋼板間に十分な隙間が生じていた。このとき、積層板の中心付近にも隙間が生じていたが、中心付近で鋼板同士は圧着されており、積層板がバラバラになってしまうことはなかった。
【００４９】
［実施例２］
実施例１で切断した積層板を、トランスコア用鉄心開裁装置として、図５に示す円柱状突起部をロール外周面に有する装置を利用し、開裁処理した。このトランスコア用鉄心開裁装置は、円柱状小突起部を有しない以外、すべて実施例１で使用したトランスコア用鉄心開裁装置と同様である。そして、折り曲げ加工を１回のみ実施し、得られた積層板を実施例２の積層板とした。
【００５０】
トランスコア用鉄心開裁装置による折り曲げ加工後の積層板の状態を、図８に示す。図８に示すとおり、実施例２の積層板は鋼板間に十分な隙間が生じていた。
【００５１】
［比較例］
特許文献３の実施の形態２（図６）に開示されている折り曲げ加工装置を用いて、実施例１及び実施例２と同じ積層板を２回折り曲げ加工した。この２回折り曲げ加工した積層板を、比較例の積層板とした。
【００５２】
比較例の積層板を、図９に示す。図９から明らかなように、比較例の積層板では、ワニスが鋼板同士を固着しているために、２回折り曲げ加工を行ったにも拘わらず、鋼板間に生じた隙間は小さかった。なお、さらに折り曲げ加工を繰り返しても、実施例と同程度まで鋼板間に生じる隙間を大きくすることはできなかった。
【００５３】
実施例１、実施例２及び比較例の積層板について、ノルマルパラフィンを洗浄液として洗浄液に積層板を浸漬させ、減圧下で超音波を使用して洗浄処理を行った。その後、実施例１、実施例２及び比較例の積層板の構成する鋼板を１枚剥がし、隣接する鋼板と接合していた平面の中心付近について、特別管理産業廃棄物に係る基準の検定方法（平成４年厚生省告示第１９２号、改正平成１０年）別表第２の第２に記載の拭き取り試験法に規定される絶縁油拭き取り試験を行った。なお、洗浄操作前の積層板では、鋼板表面に付着した絶縁油は、9400μg/100cm2であった。
【００５４】
比較例の積層板では、鋼板表面に付着した絶縁油は、3530μg/100cm2であり、洗浄操作後であっても、積層板の鋼板間に存在する絶縁油は1/3程度にしか減少しなかった。一方、実施例の積層板では、鋼板表面に付着した絶縁油は400μg/100cm2未満あり、洗浄操作後の絶縁油濃度は、絶縁油中のＰＣＢ濃度を100mg/kgとした場合、ＰＣＢ基準の0.1μg/100cm2以下であり、十分に合格する濃度であった。
【００５５】
このように、本発明の実施例では、従来の鉄心処理方法及び鉄心開裁装置では得られない、優れた積層板開裁効果が発揮され、積層板を構成する鋼板の中心付近まで洗浄剤によって十分に洗浄することが可能であった。さらに、積層板を構成する鋼板がバラバラになってしまうことがないため、折り曲げ加工後の積層板の搬送も容易である。
【産業上の利用可能性】
【００５６】
本発明の鉄心処理方法及び鉄心開裁装置は、簡易かつ処理効率の高い処理方法及び処理装置として、廃棄物処理分野において非常に有用である。
【図面の簡単な説明】
【００５７】
【図１】トランスコア（高圧型）の一般的な構造を示す図である。
【図２】鉄心の調整工程を表す図であり、(a)は鉄心の切断位置を示す図、(b)は切断後の鉄心の状態を示す図、(c)は厚みを調整した積層板を示す図である。
【図３】トランスコア（低圧型）に関する図であり、(a)は一般的な構造を示す図、(b)は(a)のＣ−Ｃ線で切断した状態、(c)は(b)のＤ−Ｄ線で切断した状態、(d)は調整工程後の状態である。
【図４】実施の形態１のトランスコア用鉄心開裁装置を表す図であり、(a)は上面図、(b)は(a)のＸ−Ｘ断面図である。
【図５】実施の形態１のトランスコア用鉄心開裁装置を用いた積層板の折り曲げ加工処理を表す図であり、(a)は折り曲げ加工の初期状態、(b)は折り曲げ加工の途中状態を表す。
【図６】実施の形態２のトランスコア用鉄心開裁装置を表す図であり、中心付近の断面図である。
【図７】実施例１の積層板の写真であり、(a)は折り曲げ加工前、(b)は折り曲げ加工後である。
【図８】実施例２の積層板の写真である（折り曲げ加工後）。
【図９】比較例の積層板の写真である（折り曲げ加工後）。
【符号の説明】
【００５８】
１：トランスコア（高圧トランス）
２：鉄心
３：銅線コイル
４ａ，４ｂ：端部積層板
５ａ，５ｂ，５ｃ：コイル部積層板
６：厚み調整後の積層板（端部）
７：厚み調整後の積層板（コイル部）
１１：トランスコア（低圧トランス）
１２：鉄心
１３：銅線コイル
１４ａ，１４ｂ．１４ｃ：積層板
１５ａ，１５ｂ：厚み調整後の積層板
２１：トランスコア用鉄心開裁装置（実施の形態１）
２２ａ，２２ｂ：ロール
２３ａ，２３ｂ：ロール外周面
２４：円柱状突起部
２５：円柱状突起部の中心軸
２６ａ，２６ｂ：ロールの回転軸
３１：トランスコア用鉄心開裁装置（実施の形態２）
３２：円柱状小突起部
【図１】
2010131482.tif 000003
【図２】
2010131482.tif 000004
【図３】
2010131482.tif 000005
【図４】
2010131482.tif 000006
【図５】
2010131482.tif 000007
【図６】
2010131482.tif 000008
【図７】
2010131482.tif 000009
【図８】
2010131482.tif 000010
【図９】
2010131482.tif 000011